(57)【要約】【課題】トラヒックがバースト的に発生した場合であっても受信特性の劣化を招くことなく自動利得制御を行う。【解決手段】上りスケジューリング部４１におけるスケジューリングに基づいて、移動局からの想定される受信入力電力値を計算する想定受信電力値計算部４３を有し、アンプ制御部３３は、ＡＧＣアンプ１１から出力された受信信号と、想定受信電力値計算部４３にて計算された受信入力電力値とに基づいて、ＡＧＣアンプ１１から出力される受信信号の振幅が一定となるようにＡＧＣアンプ１１の利得を制御する。【選択図】図１
2008205578.tif 000002
【特許請求の範囲】
【請求項１】
移動局から受信した受信信号を増幅して出力する利得制御増幅手段と、前記利得制御増幅手段から出力された受信信号の受信品質を測定する受信品質測定手段と、前記受信品質測定手段における測定結果に基づいて前記移動局に無線リソースを割り当てるスケジューリングを行うスケジューリング手段と、前記利得制御増幅手段から出力された受信信号に基づいて、該受信信号の振幅が一定となるように前記利得制御増幅手段の利得を制御する利得制御手段とを有してなる基地局受信回路において、
前記スケジューリング手段におけるスケジューリングに基づいて、移動局からの想定される受信入力電力値を計算する受信電力値計算手段を有し、
前記利得制御手段は、前記利得制御増幅手段から出力された受信信号と、前記受信電力計算手段にて計算された受信入力電力値とに基づいて、前記利得制御増幅手段から出力される受信信号の振幅が一定となるように前記利得制御増幅手段の利得を制御することを特徴とする基地局受信回路。
【請求項２】
請求項１に記載の基地局受信回路において、
前記受信品質測定手段は、前記受信信号のＳＩＲを測定し、
前記スケジューリング手段は、前記受信品質測定手段にて測定されたＳＩＲに基づいて前記移動局に無線リソースを割り当てることを特徴とする基地局受信回路。
【発明の詳細な説明】
【技術分野】
【０００１】
本発明は、移動通信システム等に適用される基地局装置に関し、特に、複数の移動局との間でデータ通信等のパケット伝送を行う通信システムでの基地局装置内の受信回路に関する。
【背景技術】
【０００２】
一般に、無線受信機においては、受信入力電力のダイナミックレンジを吸収するためにＡＧＣ（Automatic Gain Control：自動利得制御）が用いられている。受信信号は、ＡＧＣアンプにより増幅され、その出力はＡＧＣアンプ用制御部に与えられる。ＡＧＣアンプ用制御部は、ＡＧＣアンプの出力振幅が入力信号の振幅によらず一定となるように、ＡＧＣアンプの利得を制御する。
【０００３】
ここで、ＴＤＭＡ（Time Division Multiple Access）通信方式において、上述した自動利得制御を、ポーリングで加入者局から返送される信号を用いて行う技術が特許文献１に開示されている。
【特許文献１】特開２００４−３３６４１９号公報
【発明の開示】
【発明が解決しようとする課題】
【０００４】
しかしながら、移動通信システムにおいては、データ通信を行う場合、トラヒックがバースト的に発生することが多く、従来のＡＧＣ回路を有する受信回路では、特にバースト状の受信信号の立ち上がりのところで、制御の遅延によって適切に制御が行われず、受信特性の劣化を招いてしまうという問題点がある。
【０００５】
また、特許文献１に開示された技術を用いたとしても、複数の移動局からの送信が重なった場合は、自動利得制御を行うことが困難となり、上記同様に受信特性の劣化を招いてしまうことになる。
【０００６】
本発明は、上述したような従来の技術が有する問題点に鑑みてなされたものであって、トラヒックがバースト的に発生した場合であっても受信特性の劣化を招くことなく自動利得制御を行うことができる基地局受信回路を提供することを目的とする。
【課題を解決するための手段】
【０００７】
上記目的を達成するために本発明は、
移動局から受信した受信信号を増幅して出力する利得制御増幅手段と、前記利得制御増幅手段から出力された受信信号の受信品質を測定する受信品質測定手段と、前記受信品質測定手段における測定結果に基づいて前記移動局に無線リソースを割り当てるスケジューリングを行うスケジューリング手段と、前記利得制御増幅手段から出力された受信信号に基づいて、該受信信号の振幅が一定となるように前記利得制御増幅手段の利得を制御する利得制御手段とを有してなる基地局受信回路において、
前記スケジューリング手段におけるスケジューリングに基づいて、移動局からの想定される受信入力電力値を計算する受信電力値計算手段を有し、
前記利得制御手段は、前記利得制御増幅手段から出力された受信信号と、前記受信電力計算手段にて計算された受信入力電力値とに基づいて、前記利得制御増幅手段から出力される受信信号の振幅が一定となるように前記利得制御増幅手段の利得を制御することを特徴とする。
【０００８】
上記のように構成された本発明においては、移動局からの受信信号が受信されると、受信信号は利得制御増幅手段にて増幅され、受信品質測定手段にてその受信品質が測定される。スケジューリング手段においては、受信品質測定手段における測定結果に基づいて移動局に無線リソースを割り当てるスケジューリングが行われ、受信電力値計算手段において、スケジューリング手段におけるスケジューリングに基づいて、移動局からの想定される受信入力電力値が計算される。その後、利得制御手段において、利得制御増幅手段にて増幅された受信信号と、受信電力計算手段にて計算された受信入力電力値とに基づいて、利得制御増幅手段から出力される受信信号の振幅が一定となるように利得制御増幅手段の利得が制御される。
【０００９】
このように、基地局装置と移動局との間の無線通信を行う移動通信システムの基地局装置において、上りスケジューリング機能を利用して、想定される受信入力電力値を計算し、移動局からのバースト的なトラヒックに対して、受信回路の利得制御増幅手段の利得を予め制御をしておくことにより、利得制御増幅手段における利得を所望の値により早く収束させることができる。
【発明の効果】
【００１０】
本発明は、以上説明したように構成されているので、急峻に立ち上がるバースト状の受信信号に対しても、利得制御増幅手段の利得を予め制御をしておくことにより、所望の値により早く収束させることができ、通信品質を維持することができる。
【発明を実施するための最良の形態】
【００１１】
以下に、本発明の実施の形態について図面を参照して説明する。
【００１２】
図１は、本発明の基地局受信回路の実施の一形態を示す図である。
【００１３】
本形態は図１に示すように、移動局からの上りリンク受信信号を捕らえるアンテナ１と、受信ＲＦ回路１０と、ベースバンド回路３０と、Ａ／Ｄコンバータ２１と、Ｉ／Ｑ直交復調器２２と、Ｄ／Ａコンバータ２３と、上りスケジューリング部４１と、受信電力値計算手段である想定受信電力値計算部４３と、下り制御情報生成部４２とから構成されている。受信ＲＦ回路１０には、利得制御増幅手段であるＡＧＣアンプ１１が含まれており、また、ベースバンド回路３０には、復調／復号部３１と、受信品質測定手段であるＣＱＩ／ＳＩＲ測定部３２と、アンプ用制御部３３とが含まれている。
【００１４】
ＡＧＣアンプ１１は、アンテナ１を介して移動局から受信した受信信号を増幅して出力し、ＣＱＩ／ＳＩＲ測定部３２は、復調／復号部３１における受信信号の復調／復号の際に得られた各移動局の受信品質となるＣＱＩ（Channel Quality Indicator）やＳＩＲ（Signal to Interference Ratio）を測定し、上りスケジューリング部４１は、ＣＱＩ／ＳＩＲ測定部３２にて測定された各移動局のＣＱＩやＳＩＲに基づいて各移動局に無線リソースを割り当てるスケジューリングを行う。想定受信電力値計算部４３は、上りスケジューリング部４１におけるスケジューリングに基づいて、移動局からの想定される受信入力電力値を計算する。アンプ用制御部３３は、Ｉ／Ｑ直交復調器２２にてＩ／Ｑ直交復調された受信信号と、想定受信電力値計算部４３にて計算された受信入力電力値とに基づいて、ＡＧＣアンプ１１から出力される受信信号の振幅が一定となるようにＡＧＣアンプ１１の利得を制御する。
【００１５】
以下に、上記のように構成された基地局受信回路の動作について説明する。
【００１６】
移動局からの上りリンク受信信号はアンテナ１にて捕らえられ、受信ＲＦ回路１０に送られる。受信ＲＦ回路１０においては、ＡＧＣアンプ１１において、Ａ／Ｄコンバータ２１の信号レンジに合わせて上りリンク受信信号が増幅されて出力される。
【００１７】
受信ＲＦ回路１０から出力された上りリンク受信信号は、Ａ／Ｄコンバータ２１にてデジタル信号に変換された後、Ｉ／Ｑ直交復調器２２にてＩ／Ｑ直交復調されてベースバンド回路３０に入力される。
【００１８】
ベースバンド回路３０においては、復調／復号部３１において、上りリンク受信信号が復調／変調され、その際に得られた各移動局の受信品質であるＣＱＩやＳＩＲがＣＱＩ／ＳＩＲ測定部３２にて測定される。
【００１９】
ＬＴＥ（Long Term Evolution）等の基地局装置では、受信信号の復調／復号の際に得られた各移動局のＣＱＩやＳＩＲ等から、無線リソースを全体として効率良く使用できるように、上りリンクの無線リソースを各移動局に割り当てる上りスケジューリングが行われており、上りスケジューリング部４１において、ＣＱＩ／ＳＩＲ測定部３２にて測定された各移動局のＣＱＩやＳＩＲに基づいて各移動局に無線リソースを割り当てるスケジューリングが行われる。
【００２０】
上りスケジューリング部４１におけるスケジューリングの通りに各移動局から上りリンク信号が送信されれば、基地局装置での今後の受信入力電力値は想定しうるので、想定受信電力計算部４３において、上りスケジューリング部４１におけるスケジューリングに基づいて、移動局からの今後想定される受信入力電力値が計算され、アンプ制御部３３に入力される。
【００２１】
アンプ制御部３３においては、Ｉ／Ｑ直交復調器２２にてＩ／Ｑ直交復調された受信信号と、想定受信電力値計算部４３にて計算された受信入力電力値とに基づいて、ＡＧＣアンプ１１の出力振幅が、アンテナ１を介して受信された受信信号の振幅によらず一定となるようにＡＧＣアンプ１１の利得が制御される。
【図面の簡単な説明】
【００２２】
【図１】本発明の基地局受信回路の実施の一形態を示す図である。
【符号の説明】
【００２３】
１    アンテナ
１０    受信ＲＦ回路
１１    ＡＧＣアンプ
２１    Ａ／Ｄコンバータ
２２    Ｉ／Ｑ直交復調器
２３    Ｄ／Ａコンバータ
３０    ベースバンド回路
３１    復調／復号部
３２    ＣＱＩ／ＳＩＲ測定部
３３    アンプ制御部
４１    上りスケジューリング部
４２    下り制御情報生成部
４３    想定受信電力値計算部
【図１】
2008205578.tif 000003